(57)【要約】      （修正有）【課題】施工時にボルト・ナットの締め付けが不要で、またドリフトピンを多用することもなく、しかも部材を吊り上げた際の操作も従来と変わることのない連結構造の提供。【解決手段】離れて配置される主材７３と副材８３との連結構造として、寄せ具１４、１５と中心管３４と拘束具２４を用いる。寄せ具１４、１５は、軸部１８と突出片１９を備え、主材７３と副材８３の双方に取り付ける。中心管３４は、主材７３と副材８３との間に挟み込む。拘束具２４は、中心管３４の内部に嵌め込むもので、寄せ具１４、１５の移動を規制する当接面２９を備える。主材７３と副材８３の双方に突出片１９を中心管３４の内部に入り込ませた後、拘束具２４を嵌め込み、寄せ具１４、１５が移動不能に規制され、主材７３と副材８３が引き寄せられる。【選択図】図１
2019143472.tif 000002
【特許請求の範囲】
【請求項１】
離れて配置される主材（７３）と副材（８３）を一体化するための連結構造であって、
前記主材（７３）に対し離脱不能に取り付け且つ該主材（７３）から突出する寄せ具（１４）と、
前記副材（８３）に対し離脱不能に取り付け且つ該副材（８３）から突出する寄せ具（１５）と、
前記主材（７３）と前記副材（８３）との間に挟み込む中心管（３４）と、
該中心管（３４）の内部に入り込み且つ前記寄せ具（１４及び１５）に接触する拘束具（２４）と、
を用い、
前記寄せ具（１４及び１５）は、棒状に伸びる軸部（１８）と、該軸部（１８）の一端側に位置する突出片（１９）と、を備え、
前記中心管（３４）には、前記寄せ具（１４及び１５）を差し込むための側孔（３５）を対向するように配置してあり、
前記拘束具（２４）は、前記軸部（１８）の方から前記突出片（１９）に接触し前記寄せ具（１４及び１５）の移動を規制する当接面（２９）を備え、該当接面（２９）は隙間を挟んで対向するように形成してあり、
前記中心管（３４）の内部に入り込んだ双方の前記突出片（１９）が前記当接面（２９）に接触することで、該中心管（３４）を挟んで前記主材（７３）と前記副材（８３）を引き寄せることを特徴とする連結構造。
【発明の詳細な説明】
【技術分野】
【０００１】
本発明は、建築物の骨格を構成する部材同士を一体化する連結構造に関する。
【背景技術】
【０００２】
建築物の構造は様々だが、規模の大小を問わず、各種棒材を組み上げて骨格を構築することが多く、住宅などの小規模な建築物では、木造軸組構法が広く普及している。木造軸組構法では、強度を確保するため、柱や梁などの部材同士を緩みなく連結する必要があり、古くからホゾをホゾ溝に嵌め込むといった対策が講じられている。ただしホゾなどの伝統的な手法は、部材の断面欠損が大きくなるほか、その加工にも手間を要する。そのため、伝統的な手法に変わり、金属パイプなどの各種金具を用いることもある。また骨格として大断面の集成材を用いる場合、その連結には、ボルトやラグスクリューなど、各種金具が必要不可欠である。
【０００３】
各種金具は、信頼性の向上などを目的として様々な技術開発が進められており、例えば後記特許文献１では、接合強度や作業性の向上とともに、製造原価の低減も図ることのできる建築用接合金具が開示されている。この建築用接合金具は、柱と梁などの二部材を連結するために用い、コの字状の受け金具と、受け金具と梁を一体化する連結ピンと、受け金具の中央を貫き柱に差し込まれる棒状の固定金具と、固定金具と柱を一体化する固定ピンなどで構成され、受け金具の取り付けに際し、ボルトは不要である。そのため施工時の作業性が向上するほか、ボックスレンチなど、専用の締め付け工具も不要である。
【０００４】
次に特許文献２では、柱と梁などの連結に用いる建築用軸組部材が開示されている。この建築用軸組部材は、柱に取り付けるロック部材と、梁に取り付けるフック部材と、を係合させることで柱と梁を連結する構成で、ロック部材から突出する軸部の先端に係着部を設け、またフック部材には係着部を嵌め込む係合部を設ける。そして係着部は矩形状とし、対する係合部には、係着部を内部に誘導するスリットを設け、係着部が係合部に収容された後、フック部材を回転させると、係着部が係合部から離脱できなくなり、柱と梁が連結される。この建築用軸組部材は、フック部材を回転させるだけで連結作業が完了し、ボルトの締め付けなどは不要である。
【先行技術文献】
【特許文献】
【０００５】
【特許文献１】特開２０１０−２８１１９２号公報
【特許文献２】特開２０１４−２１４４８０号公報
【発明の概要】
【発明が解決しようとする課題】
【０００６】
特許文献１および２では、部材同士の連結にボルト・ナットを使用しておらず、施工時の締め付け作業が不要で、手間や時間を削減できる。このように、ボルト・ナットを使用することなく部材同士を連結する技術の例としては、部材同士を跨ぐように金具を埋め込み、この金具と部材を貫くようにドリフトピンを打ち込む方法や、一対の金具の嵌め込みを利用する方法が挙げられる。ただし、ドリフトピンを打ち込む方法は、その打ち込み本数が増えることで部材の割れを誘発するほか、施工時間の短縮も難しくなる。さらにドリフトピンは部材の側面に露見するため、木材の自然な雰囲気を喪失させる。
【０００７】
また、一対の金具の嵌め込みを利用する方法は、実際に嵌め込みを行う際、その姿勢や接近方向が限定的であることが多い。そのため、一方の金具を取り付けた部材をクレーンで吊り上げ、他方の金具に嵌め込む際、慎重な操作が必要で、作業時間の短縮に結び付かないほか、不用意な操作で金具を破損する恐れもある。特に大断面の部材は、吊り上げた後の取り扱いが難しく、施工時の手間や時間を削減できないことが多い。
【０００８】
本発明はこうした実情を基に開発されたもので、施工時にボルト・ナットの締め付けが不要で、またドリフトピンを多用することもなく、しかも部材を吊り上げた際の操作も従来と変わることのない連結構造の提供を目的としている。
【課題を解決するための手段】
【０００９】
前記の課題を解決するための請求項１記載の発明は、離れて配置される主材と副材を一体化するための連結構造であって、前記主材に対し離脱不能に取り付け且つ該主材から突出する寄せ具と、前記副材に対し離脱不能に取り付け且つ該副材から突出する寄せ具と、前記主材と前記副材との間に挟み込む中心管と、該中心管の内部に入り込み且つ前記寄せ具に接触する拘束具と、を用い、前記寄せ具は、棒状に伸びる軸部と、該軸部の一端側に位置する突出片と、を備え、前記中心管には、前記寄せ具を差し込むための側孔を対向するように配置してあり、前記拘束具は、前記軸部の方から前記突出片に接触し前記寄せ具の移動を規制する当接面を備え、該当接面は隙間を挟んで対向するように形成してあり、前記中心管の内部に入り込んだ双方の前記突出片が前記当接面に接触することで、該中心管を挟んで前記主材と前記副材を引き寄せることを特徴とする連結構造である。
【００１０】
本発明による連結構造は、柱と梁など、各種棒状または板状の部材同士を連結するために用い、寄せ具と拘束具の二要素を中心に構成される。なお本発明は、あらゆる箇所で使用可能で、連結される部材のうち、より地盤に近い方を主材と称し、この主材で架空に支持される方を副材と称するものとする。ただし主材と副材は、厳密に区分される訳ではなく、本発明において主材と副材は、接触することなく離れて配置される。
【００１１】
寄せ具は、主材および副材の双方に取り付ける棒状の部品で、主材や副材に対し離脱することなく取り付け、その表面から突出させる。この寄せ具の詳細な形状については、用途などに応じて自在に決めることができるが、その先端（主材や副材から最も離れた位置）には、棒状に伸びる軸部を設け、さらに軸部の先には、軸部よりも半径方向に広がったフランジ状の突出片を設ける。なお寄せ具は、一本の主材や副材に対し、一個だけ使用することもあれば、複数個使用することもある。
【００１２】
寄せ具を主材や副材に取り付ける方法は、様々な従来技術を用いる。主材や副材が木材であれば、寄せ具を直接取り付けることは難しく、双方の間に金具類を介在させる。
【００１３】
拘束具は、中心管に隙間なく嵌り込む形状とし、その当接面で寄せ具の移動を規制し、主材と副材を離脱不能に引き寄せる。なお寄せ具の取り付けについては、主材や副材にラグスクリューや異形棒鋼を埋め込み、そのメネジに寄せ具を螺合させることが多い。この場合、寄せ具の根元（突出片の反対側）にオネジを形成する。
【００１４】
中心管は金属製で、その内外周面は必然的に滑らかで、しかも経年変形も生じにくい。そのため拘束具の設計時、主材の変形などを考慮する必要がなく、拘束具の形状の自由度が高まり、円柱状に限らず円弧状なども選択可能で、拘束具の製造方法が多様化し、コストダウンなどを期待できる。なお中心管は、両端が開いた単純な管とすることもできるが、拘束具の移動を防止するため、有底とすることもできる。
【００１５】
当接面は、拘束具に設ける平面状の部位で、寄せ具の突出片に接触し、寄せ具を保持する役割を有する。さらに当接面は、主材と副材から対向するように差し込まれる寄せ具に対応し、拘束具の内部で対向するように二箇所に形成する。そして拘束具は、寄せ具の軸部の外周に入り込み、そこから突出片に接触する。なお拘束具の形状や当接面の配置は自在で、その具体例としては、拘束具を半割にするように縦溝を形成し、さらに縦溝の中心付近に正方形状の空間を設ける構成が挙げられる。この場合、正方形状の空間の周囲が当接面となり、縦溝の中に寄せ具の軸部が入り込み、正方形状の空間に突出片が入り込む。
【００１６】
このように本発明は、主材と副材を接触させることなく、双方の間に中心管を挟み込んだ連結構造で、主材と副材のそれぞれに寄せ具を取り付け、寄せ具の先端を中心管の内部に到達させ、さらに中心管の内部に拘束具を埋め込み、主材および副材を中心管に引き寄せるものである。なお寄せ具は、主材側と副材側で形状が異なる場合もある。また中心管には、寄せ具の突出片などを差し込むため、側孔を設ける。
【００１７】
この発明では、中心管を外部に配置するため、主材や副材を鋼材とすることも容易である。仮に主材として金属製の角パイプを用いるならば、その表面に連通孔を形成し、角パイプの内部に寄せ具を配置する。そして寄せ具の先端を連通孔から外に出し、側孔から中心管の内部に差し込み、拘束具で寄せ具の移動を規制する。なおこの発明では、中心管が主材や副材に埋め込まれる訳ではない。そのため拘束具が中心管から抜け落ちないよう、何らかの対策を講じる。
【発明の効果】
【００１８】
請求項１記載の発明のように、主材と副材との連結構造として、寄せ具や中心管や拘束具などを用い、主材と副材の双方に寄せ具を取り付け、主材と副材との間に中心管を挟み込み、主材と副材の双方の寄せ具を中心管の内部に差し込み、さらに中心管に拘束具を埋め込み、寄せ具を離脱不能に保持し、主材と副材の双方を中心管に引き寄せることで、主材と副材との連結時、ボルト・ナットの締め付けが不要で、一連の作業を短時間で終えることができる。なおこの発明は、中心管を主材や副材に埋め込む必要がなく、角パイプなどの鋼材の連結に適している。
【００１９】
また本発明では、寄せ具を介して主材と副材を連結するため、連結箇所に多数のドリフトピンを打ち込む必要がない。そのため施工時の作業量が抑制されるほか、部材の割れや美感の悪化も回避できる。そのほか施工時、主材と副材を接近させる際の手順は、従来と何ら変わりがなく、部材を回転させるなどの特殊な操作は不要で、手間が増えることもない。
【図面の簡単な説明】
【００２０】
【図１】本発明の具体例を示す斜視図で、中心管を介し、主材と副材を引き寄せることを想定している。
【図２】図１の主材と副材を丁字状に連結した状態を示す斜視図で、主材と副材との間に中心管が挟み込まれている。
【発明を実施するための形態】
【００２１】
図１は、本発明の具体例を示し、中心管３４を介し、主材７３と副材８３を引き寄せることを想定している。この図では、主材７３として金属製の角パイプを用いているが、副材８３は木材で、主材７３の側面および副材８３の端面を中心管３４に引き寄せる。なお中心管３４は、主材７３および副材８３の外部に位置するが、その内部に寄せ具１４、１５の先端を差し入れ、拘束具２４で移動を規制する。そのため中心管３４の側周面には、側孔３５を設けてある。
【００２２】
主材７３と中心管３４は、寄せ具１４で引き寄せる。この寄せ具１４は、主材７３の内部に差し入れ、その突出片１９などを連通孔７８から外部に飛び出させ、中心管３４の側孔３５に差し込む。なお連通孔７８は、上下二箇所に設け、それぞれに寄せ具１４を差し込むほか、連通孔７８は、寄せ具１４のツバ３９が通過できない内径である。
【００２３】
副材８３については、その端面に加工した下穴８５にラグスクリュー５１を埋め込む。そしてラグスクリュー５１の頭部５４側のメネジ５９に寄せ具１５を螺合させる。この寄せ具１５はボルト状で、メネジ５９と螺合するオネジ３８を形成してある。なお副材８３についても、ラグスクリュー５１と寄せ具１５は、上下二箇所に配置し、寄せ具１５の突出片１９を中心管３４の側孔３５に差し込む。
【００２４】
寄せ具１４、１５の突出片１９を中心管３４の内部に差し込んだ後、そこに拘束具２４を埋め込むと、その縦溝２７の内部に寄せ具１４、１５の軸部１８が入り込み、さらに突出片１９が当接面２９に接触し、寄せ具１４、１５が中心管３４から離脱できなくなる。なお拘束具２４の移動を防止するため、中心管３４の側周面から止めボルト３７を差し込み、拘束具２４を押圧している。止めボルト３７を差し込むため、中心管３４の側周面にはメネジ３６を形成してある。
【００２５】
図２は、図１の主材７３と副材８３を丁字状に連結した状態を示し、主材７３と副材８３との間に中心管３４が挟み込まれている。中心管３４の内部には、主材７３側と副材８３側の双方の寄せ具１４、１５の突出片１９が入り込んでおり、そこに拘束具２４を埋め込むと、その当接面２９により、寄せ具１４、１５は移動不能となる。また拘束具２４の移動を防ぐため、止めボルト３７を差し込んである。なお拘束具２４の移動を防止する方法は、これに限定される訳ではない。
【００２６】
本願発明は、両図に示した形態に限定される訳ではなく、寄せ具や拘束具などの形状や配置は、実現可能な範囲で自在に組み合わせ、様々な形態に導入することができる。
【符号の説明】
【００２７】
１４  寄せ具
１５  寄せ具
１７  胴体
１８  軸部
１９  突出片
２４  拘束具
２７  縦溝
２９  当接面
３４  中心管
３５  側孔
３６  メネジ（中心管の側周面）
３７  止めボルト
３８  オネジ
３９  ツバ
５１  ラグスクリュー
５４  頭部
５５  凸条
５９  メネジ（ラグスクリューの端面）
７３  主材
７８  連通孔
８３  副材
８５  下穴
【図１】
2019143472.tif 000003
【図２】
2019143472.tif 000004